(57)【要約】【課題】ユーザの発話した内容に従い電話番号をグループ分けして表示できるようにする。【解決手段】マイクにより集音された音声を音声認識により認識し（Ｓ１０２）、認識した音声に含まれる電話番号に、市外局番、市内局番、加入者番号のグループに区切る語彙が含まれるか否かに基づいて該電話番号をグループ分けするか否かを判定し（Ｓ１０４）、電話番号をグループ分けすると判定した場合、電話番号を市外局番、市内局番、加入者番号にグループ分けして表示部に表示させる（Ｓ１０６）。【選択図】図３
2008203296.tif 000002
【特許請求の範囲】
【請求項１】
マイクにより集音された音声を認識する音声認識手段と、
前記音声認識手段によって認識された音声に含まれる電話番号の内容から該電話番号を市外局番、市内局番、加入者番号にグループ分けするか否かを判定するグループ分け判定手段と、
前記グループ分け判定手段によって前記電話番号をグループ分けすると判定された場合、前記電話番号を市外局番、市内局番、加入者番号にグループ分けして表示部に表示させる表示制御手段と、を備えたことを特徴とする音声認識装置。
【請求項２】
前記グループ分け判定手段は、前記音声認識手段によって認識された音声に含まれる電話番号に、前記市外局番、市内局番、加入者番号のグループに区切る語彙が含まれるか否かに基づいて前記電話番号を市外局番、市内局番、加入者番号にグループ分けするか否かを判定することを特徴とする請求項１に記載の音声認識装置。
【請求項３】
前記グループ分け判定手段は、前記音声認識手段によって認識された音声に含まれる電話番号に、桁読み語彙が含まれるか否かに基づいて前記電話番号を市外局番、市内局番、加入者番号にグループ分けするか否かを判定することを特徴とする請求項１または２に記載の音声認識装置。
【請求項４】
前記グループ分け判定手段は、前記音声認識手段によって認識された音声に含まれる電話番号に該電話番号を複数のグループに区切る無音状態が含まれるか否かに基づいて前記電話番号を市外局番、市内局番、加入者番号にグループ分けするか否かを判定することを特徴とする請求項１ないし３のいずれか１つに記載の音声認識装置。
【請求項５】
前記グループ分け判定手段は、前記音声認識手段によって認識された音声に含まれる電話番号に該電話番号を複数のグループに区切る長音が含まれるか否かに基づいて前記電話番号を市外局番、市内局番、加入者番号にグループ分けするか否かを判定することを特徴とする請求項１ないし４のいずれか１つに記載の音声認識装置。
【請求項６】
前記表示制御手段は、前記グループ分け判定手段によって前記電話番号を市外局番、市内局番、加入者番号にグループ分けしないと判定された場合、前記電話番号を区切ることなく連続して表示部に表示させることを特徴とする請求項１ないし５のいずれか１つに記載の音声認識装置。
【請求項７】
前記表示制御手段により前記表示部に表示された前記電話番号を訂正するか否かをユーザに確認する訂正確認手段と、
前記訂正確認手段によって前記表示部に表示された前記電話番号を訂正することが確認された場合、ユーザの操作に応じて前記電話番号の一部を訂正位置として特定し、前記訂正位置の番号を訂正する番号訂正手段と、を備えたことを特徴とする請求項１ないし６のいずれか１つに記載の音声認識装置。
【請求項８】
前記表示制御手段により前記電話番号が前記表示部にグループ分けして表示されている場合、前記番号訂正手段は、前記電話番号の訂正位置をグループ分けされたグループ単位で特定し、前記訂正位置の番号をグループ単位で訂正することを特徴とする請求項７に記載の音声認識装置。
【請求項９】
前記表示部の前面に配置され、接触面に対するタッチ操作および接触位置を検出するタッチスイッチを備え、
前記番号訂正手段は、前記タッチスイッチによる前記タッチ操作が検出された場合、前記タッチ操作された位置に表示された前記電話番号の一部を前記訂正位置として特定することを特徴とする請求項７または８に記載の音声認識装置。
【請求項１０】
前記表示部の前面に配置され、接触面に対するタッチ操作および接触位置を検出するタッチスイッチを備え、
前記番号訂正手段は、予め定められた時間内に、前記タッチスイッチにより前記電話番号の中の複数の数字への前記タッチ操作が検出された場合、前記タッチ操作された位置に表示された前記電話番号の中の複数の数字を訂正位置として特定することを特徴とする請求項７または８に記載の音声認識装置。
【請求項１１】
前記番号訂正手段は、前記訂正位置を特定した後、前記音声認識手段によって前記訂正位置の変更を指示する語彙が認識されると、認識された語彙に従い前記訂正位置を変更することを特徴とする請求項７ないし１０のいずれか１つに記載の音声認識装置。
【請求項１２】
前記番号訂正手段は、前記訂正位置の数字を増加させる増加ボタンおよび前記訂正位置の数字を減少させる減少ボタンを前記表示部に表示させ、前記タッチスイッチによる前記タッチ操作が検出された場合、前記タッチ操作された位置に表示されたボタンへの操作に応じて前記訂正位置の番号を訂正することを特徴とする請求項７ないし１０のいずれか１つに記載の音声認識装置。
【請求項１３】
前記番号訂正手段は、前記訂正位置の新たな番号の発話をユーザに促した後、前記音声認識手段によって認識された番号を新たな番号として前記訂正位置の番号を訂正することを特徴とする請求項７ないし１０のいずれか１つに記載の音声認識装置。
【請求項１４】
前記表示制御手段により前記表示部に表示された前記電話番号のいずれかの位置に番号を挿入するか否かをユーザに確認する挿入確認手段と、
前記挿入確認手段によって前記表示部に表示された前記電話番号のいずれかの位置に番号を挿入すると判定された場合、ユーザの操作に応じて前記番号の挿入位置を特定し、前記挿入位置に番号を挿入する番号挿入手段と、を備えたことを特徴とする請求項１ないし１３のいずれか１つに記載の音声認識装置。
【請求項１５】
前記表示制御手段により前記電話番号が前記表示部にグループ分けして表示されている場合、前記番号挿入手段は、前記番号を挿入するグループを特定し、ユーザの操作に応じて前記グループのいずれかの位置に前記番号を挿入することを特徴とする請求項１４に記載の音声認識装置。
【請求項１６】
前記表示部の前面に配置され、接触面に対するタッチ操作および接触位置を検出するタッチスイッチを備え、
前記番号挿入手段は、前記電話番号の数字間に挿入位置を指定するための挿入ボタンを表示させ、前記タッチスイッチによる前記タッチ操作が検出された場合、前記タッチ操作された位置に表示された前記挿入ボタンの位置を前記挿入位置として特定することを特徴とする請求項１４または１５に記載の音声認識装置。
【請求項１７】
前記表示部の前面に配置され、接触面に対するタッチ操作および接触位置を検出するタッチスイッチを備え、
前記番号挿入手段は、前記タッチスイッチにより２つの隣り合う数字への前記タッチ操作が検出された場合、前記タッチ操作された数字の間を前記挿入位置として特定することを特徴とする請求項１４または１５に記載の音声認識装置。
【請求項１８】
前記番号挿入手段は、前記挿入位置へ挿入する番号の発話をユーザに促した後、前記音声認識手段によって認識された番号を前記挿入位置に挿入することを特徴とする請求項１４ないし１７のいずれか１つに記載の音声認識装置。
【請求項１９】
前記表示制御手段により前記表示部に表示された前記電話番号の一部を削除するか否かをユーザに確認する削除確認手段と、
前記削除確認手段によって前記表示部に表示された前記電話番号の一部を削除すると判定された場合、ユーザの操作に応じて削除する番号の削除位置を特定し、前記削除位置の番号を削除する番号削除手段と、を備えたことを特徴とする請求項１ないし１８のいずれか１つに記載の音声認識装置。
【請求項２０】
前記表示制御手段により前記電話番号が前記表示部にグループ分けして表示されている場合、前記番号削除手段は、前記電話番号の削除位置をグループ分けされたグループ単位で特定し、前記削除位置の番号をグループ単位で削除することを特徴とする請求項１９に記載の音声認識装置。
【請求項２１】
前記表示部の前面に配置され、接触面に対するタッチ操作および接触位置を検出するタッチスイッチを備え、
前記番号削除手段は、前記タッチスイッチによる前記タッチ操作が検出された場合、前記タッチ操作された位置に表示された前記電話番号の数字を削除位置として特定することを特徴とする請求項１９または２０に記載の音声認識装置。
【請求項２２】
前記表示部の前面に配置され、接触面に対するタッチ操作および接触位置を検出するタッチスイッチを備え、
前記番号削除手段は、予め定められた時間内に、前記タッチスイッチにより前記電話番号の中の複数の数字への前記タッチ操作が検出された場合、前記タッチ操作された位置に表示された前記電話番号の中の複数の数字を削除位置として特定することを特徴とする請求項１９または２０に記載の音声認識装置。
【請求項２３】
前記表示制御手段により前記表示部に表示された前記電話番号を、表示された区切り方でトークバック音声をスピーカから出力させるトークバック音声出力手段を備えたことを特徴とする請求項１ないし２２のいずれか１つに記載の音声認識装置。
【請求項２４】
前記表示制御手段は、前記電話番号をグループ分けする際に、最も可能性の高い区切り方で区切る第１の候補と２番目に可能性の高い区切り方で区切る第２の候補の類似度が予め定められた規格値よりも大きいことを判定した場合、前記第１の候補と第２の候補の両方を前記表示部に表示させることを特徴とする請求項１ないし２２のいずれか１つに記載の音声認識装置。
【請求項２５】
所定のナビゲーション処理を実行するナビゲーション装置であって、請求項１ないし２４のいずれか１つに記載の音声認識装置を備え、その音声認識装置によって得られた話者の意図する電話番号を前記ナビゲーション処理に用いることを特徴とするナビゲーション装置。
【発明の詳細な説明】
【技術分野】
【０００１】
本発明は、マイクにより集音された音声に含まれる電話番号を認識して表示部に表示する音声認識装置及びナビゲーション装置に関する。
【背景技術】
【０００２】
従来、ユーザの音声に含まれる数字列を音声認識により認識する装置が種々提案されている（例えば、特許文献１〜３参照）。
【特許文献１】特開平１１−３０５７９３号公報
【特許文献２】特開平１０−２５４４８９号公報
【特許文献３】特開２００６−５８３９０号公報
【発明の開示】
【発明が解決しようとする課題】
【０００３】
電話番号は、１つの連続した数字列として表示する場合と、市外局番、市内局番、加入者番号のグループをカッコや「―」で区切って表示する場合とがある。例えば、電話番号が市外局番、市内局番、加入者番号のグループに区切って表示される場合、グループ間を「ハイフン」や「の」で区切って発話されることが多い。
【０００４】
しかしながら、特許文献１〜３に記載の装置は、このように電話番号が区切って発話された場合、ユーザが発話した通りに認識し、発話された区切り方に従って電話番号を市外局番、市内局番、加入者番号のグループに分けて表示することができない。したがって、ユーザが発話した内容と異なる表示となってしまい、ユーザに違和感を与えてしまうことが考えられる。
【０００５】
また、車両用ナビゲーション装置には、目的地施設の電話番号を音声入力して目的地施設を検索する電話番号検索機能を備えたものがある。この電話番号検索機能では、電話番号が音声入力されると、タウンページに登録されている電話番号等を用いて作成されたデータベースを参照し、このデータベースに登録されている区切り方に従って目的地の施設の電話番号が表示されるようになっている。
【０００６】
このような装置では、例えば、交換局の統廃合などにより市外局番、市内局番、加入者番号の区切り方が変更された場合、ユーザが新しい区切り方に従って発話したにもかかわらず、データベースに登録された電話番号に従って変更前の区切り方で電話番号が表示されてしまい、ユーザに違和感を与えてしまうことが考えられる。
【０００７】
本発明は上記点に鑑みたもので、ユーザの発話した内容に従い電話番号をグループ分けして表示できるようにすることを目的とする。
【課題を解決するための手段】
【０００８】
本発明の第１の特徴は、マイクにより集音された音声を認識する音声認識手段と、音声認識手段によって認識された音声に含まれる電話番号の内容から該電話番号を市外局番、市内局番、加入者番号にグループ分けするか否かを判定するグループ分け判定手段と、グループ分け判定手段によって電話番号をグループ分けすると判定された場合、電話番号を市外局番、市内局番、加入者番号にグループ分けして表示部に表示させる表示制御手段と、を備えたことである。
【０００９】
このような構成では、認識された音声に含まれる電話番号の内容から電話番号を市外局番、市内局番、加入者番号にグループ分けすると判定された場合、電話番号が市外局番、市内局番、加入者番号にグループ分けして表示部に表示されるので、ユーザの発話した内容に従い電話番号をグループ分けして表示することができる。
【００１０】
また、本発明の第２の特徴は、音声認識手段によって認識された音声に含まれる電話番号に、市外局番、市内局番、加入者番号のグループに区切る語彙が含まれるか否かに基づいて電話番号を市外局番、市内局番、加入者番号にグループ分けするか否かを判定することである。
【００１１】
このように、認識された音声に含まれる電話番号に、市外局番、市内局番、加入者番号のグループに区切る語彙が含まれるか否かに基づいて電話番号を市外局番、市内局番、加入者番号にグループ分けするか否かを判定することができる。なお、電話番号を市外局番、市内局番、加入者番号のグループに区切る語彙としては、「ハイフン」、「の」、「カッコ」、「スペース」等がある。
【００１２】
また、本発明の第３の特徴は、音声認識手段によって認識された音声に含まれる電話番号に、桁読み語彙が含まれるか否かに基づいて電話番号を市外局番、市内局番、加入者番号にグループ分けするか否かを判定することである。
【００１３】
このように、認識された音声に含まれる電話番号に、桁読み語彙が含まれるか否かに基づいて電話番号を市外局番、市内局番、加入者番号にグループ分けするか否かを判定することができる。なお、桁読み語彙としては、例えば、「さんびゃくよんじゅうご」、「ろくせんななひゃくはちじゅうきゅう」等がある。
【００１４】
また、本発明の第４の特徴は、音声認識手段によって認識された音声に含まれる電話番号に該電話番号を複数のグループに区切る無音状態が含まれるか否かに基づいて電話番号を市外局番、市内局番、加入者番号にグループ分けするか否かを判定することである。
【００１５】
このように、認識された音声に含まれる電話番号に該電話番号を複数のグループに区切る無音状態が含まれるか否かに基づいて電話番号を市外局番、市内局番、加入者番号にグループ分けすることができる。なお、無音状態は、音声入力のない状態が予め定められた期間以上継続した状態のことをいう。
【００１６】
本発明の第５の特徴は、音声認識手段によって認識された音声に含まれる電話番号に該電話番号を複数のグループに区切る長音が含まれるか否かに基づいて電話番号を市外局番、市内局番、加入者番号にグループ分けするか否かを判定することである。
【００１７】
このように、認識された音声に含まれる電話番号に該電話番号を複数のグループに区切る長音が含まれるか否かに基づいて電話番号を市外局番、市内局番、加入者番号にグループ分けするか否かを判定することができる。
【００１８】
また、本発明の第６の特徴は、グループ分け判定手段によって電話番号を市外局番、市内局番、加入者番号にグループ分けしないと判定された場合、電話番号を区切ることなく連続して表示部に表示させることである。
【００１９】
このように、電話番号を市外局番、市内局番、加入者番号にグループ分けしないと判定された場合、電話番号が連続して表示部に表示されるので、ユーザの発話した内容に従い電話番号を連続して表示部に表示させることができる。
【００２０】
また、本発明の第７の特徴は、表示制御手段により表示部に表示された電話番号を訂正するか否かをユーザに確認する訂正確認手段と、訂正確認手段によって表示部に表示された電話番号を訂正することが確認された場合、ユーザの操作に応じて電話番号の一部を訂正位置として特定し、訂正位置の番号を訂正する番号訂正手段と、を備えたことである。
【００２１】
このような構成では、表示部に表示された電話番号を訂正することが確認された場合、ユーザの操作に応じて電話番号の一部を訂正位置として特定し、訂正位置の番号のみを訂正することができるので、表示部に表示された電話番号が誤認識されていても、誤認識された部分のみを特定して訂正することが可能である。
【００２２】
また、本発明の第８の特徴は、表示制御手段により電話番号が表示部にグループ分けして表示されている場合、番号訂正手段は、電話番号の訂正位置をグループ分けされたグループ単位で特定し、訂正位置の番号をグループ単位で訂正することである。
【００２３】
このような構成では、電話番号が表示部にグループ分けして表示されている場合、電話番号の訂正位置をグループ分けされたグループ単位で特定し、訂正位置の番号をグループ単位で訂正することができるので、表示部に表示された電話番号が誤認識されていても、誤認識された部分のみをグループ単位で特定して訂正することが可能である。
【００２４】
また、本発明の第９の特徴は、表示部の前面に配置され、接触面に対するタッチ操作および接触位置を検出するタッチスイッチを備え、番号訂正手段は、タッチスイッチによるタッチ操作が検出された場合、タッチ操作された位置に表示された電話番号の一部を訂正位置として特定することである。
【００２５】
このように、タッチ操作された位置に表示された電話番号の一部を訂正位置として特定することができる。
【００２６】
また、本発明の第１０の特徴は、表示部の前面に配置され、接触面に対するタッチ操作および接触位置を検出するタッチスイッチを備え、番号訂正手段は、予め定められた時間内に、タッチスイッチにより電話番号の中の複数の数字へのタッチ操作が検出された場合、タッチ操作された位置に表示された電話番号の中の複数の数字を訂正位置として特定することである。
【００２７】
このように、予め定められた時間内に、タッチスイッチにより電話番号の中の複数の数字へのタッチ操作が検出された場合、タッチ操作された位置に表示された電話番号の中の複数の数字を訂正位置として特定することができる。
【００２８】
また、本発明の第１１の特徴は、訂正位置を特定した後、音声認識手段によって訂正位置の変更を指示する語彙が認識されると、認識された語彙に従い訂正位置を変更することである。
【００２９】
このような構成では、訂正位置の変更を指示する語彙が認識された場合、認識された語彙に従い訂正位置が変更される。すなわち、ユーザは発話により訂正位置の変更を指示することができる。
【００３０】
また、本発明の第１２の特徴は、訂正位置の数字を増加させる増加ボタンおよび訂正位置の数字を減少させる減少ボタンを表示部に表示させ、タッチスイッチによるタッチ操作が検出された場合、タッチ操作された位置に表示されたボタンへの操作に応じて訂正位置の番号を訂正することである。
【００３１】
このように、訂正位置の数字を増加させる増加ボタンおよび訂正位置の数字を減少させる減少ボタンが表示部に表示され、タッチ操作された位置に表示されたボタンへの操作に応じて訂正位置の番号が訂正されるので、電話番号が誤認識されていても、誤認識された部分のみを容易に訂正することができる。
【００３２】
また、本発明の第１３の特徴は、訂正位置の新たな番号の発話をユーザに促した後、音声認識手段によって認識された番号を新たな番号として訂正位置の番号を訂正することである。
【００３３】
このような構成では、訂正位置の新たな番号の発話をユーザに促した後、音声認識された番号を新たな番号として訂正位置の番号が訂正される。すなわち、ユーザは発話により訂正位置の新たな番号を指示することができる。
【００３４】
また、本発明の第１４の特徴は、表示制御手段により表示部に表示された電話番号のいずれかの位置に番号を挿入するか否かをユーザに確認する挿入確認手段と、挿入確認手段によって表示部に表示された電話番号のいずれかの位置に番号を挿入すると判定された場合、ユーザの操作に応じて番号の挿入位置を特定し、挿入位置に番号を挿入する番号挿入手段と、を備えたことである。
【００３５】
このような構成では、表示部に表示された電話番号のいずれかの位置に番号を挿入すると判定された場合、ユーザの操作に応じて番号の挿入位置を特定し、挿入位置に番号が挿入されるので、表示部に表示された電話番号が誤認識されていても、番号の挿入位置を特定し、挿入位置に番号を挿入して修正することが可能である。
【００３６】
また、本発明の第１５の特徴は、表示制御手段により電話番号が表示部にグループ分けして表示されている場合、番号挿入手段は、番号を挿入するグループを特定し、ユーザの操作に応じてグループのいずれかの位置に番号を挿入することである。
【００３７】
このように、番号を挿入するグループを特定し、ユーザの操作に応じてグループのいずれかの位置に番号を挿入することができるので、表示部に表示された電話番号が誤認識されていても、誤認識された部分のグループを特定し、該グループのいずれかの位置に番号を挿入して修正することが可能である。
【００３８】
また、本発明の第１６の特徴は、表示部の前面に配置され、接触面に対するタッチ操作および接触位置を検出するタッチスイッチを備え、番号挿入手段は、電話番号の数字間に挿入位置を指定するための挿入ボタンを表示させ、タッチスイッチによるタッチ操作が検出された場合、タッチ操作された位置に表示された挿入ボタンの位置を挿入位置として特定することである。
【００３９】
このように、タッチ操作された位置に表示された挿入ボタンの位置を挿入位置として特定することができる。
【００４０】
また、本発明の第１７の特徴は、表示部の前面に配置され、接触面に対するタッチ操作および接触位置を検出するタッチスイッチを備え、番号挿入手段は、タッチスイッチにより２つの隣り合う数字へのタッチ操作が検出された場合、タッチ操作された数字の間を挿入位置として特定することである。
【００４１】
このように、タッチスイッチにより２つの隣り合う数字へのタッチ操作が検出された場合、タッチ操作された数字の間を挿入位置として特定することができる。
【００４２】
また、本発明の第１８の特徴は、挿入位置へ挿入する番号の発話をユーザに促した後、音声認識手段によって認識された番号を挿入位置に挿入することである。
【００４３】
このような構成では、挿入位置へ挿入する番号の発話をユーザに促した後、音声認識された番号が挿入位置に挿入される。すなわち、ユーザは発話により挿入位置に挿入する番号を指示することができる。
【００４４】
また、本発明の第１９の特徴は、表示制御手段により表示部に表示された電話番号の一部を削除するか否かをユーザに確認する削除確認手段と、削除確認手段によって表示部に表示された電話番号の一部を削除すると判定された場合、ユーザの操作に応じて削除する番号の削除位置を特定し、削除位置の番号を削除する番号削除手段と、を備えたことである。
【００４５】
このような構成では、表示部に表示された電話番号の一部を削除すると判定された場合、ユーザの操作に応じて削除する番号の削除位置が特定され、削除位置の番号が削除されるので、表示部に表示された電話番号が誤認識されていても、誤認識された番号のみを特定して削除することが可能である。
【００４６】
また、本発明の第２０の特徴は、表示制御手段により電話番号が表示部にグループ分けして表示されている場合、番号削除手段は、電話番号の削除位置をグループ分けされたグループ単位で特定し、削除位置の番号をグループ単位で削除することである。
【００４７】
このような構成では、電話番号が表示部にグループ分けして表示されている場合、電話番号の削除位置をグループ分けされたグループ単位で特定し、削除位置の番号をグループ単位で削除することができるので、表示部に表示された電話番号が誤認識されていても、誤認識された部分のみをグループ単位で特定して削除することが可能である。
【００４８】
また、本発明の第２１の特徴は、表示部の前面に配置され、接触面に対するタッチ操作および接触位置を検出するタッチスイッチを備え、番号削除手段は、タッチスイッチによるタッチ操作が検出された場合、タッチ操作された位置に表示された電話番号の数字を削除位置として特定することである。
【００４９】
このように、タッチ操作された位置に表示された電話番号の数字を削除位置として特定することができる。
【００５０】
また、本発明の第２２の特徴は、表示部の前面に配置され、接触面に対するタッチ操作および接触位置を検出するタッチスイッチを備え、番号削除手段は、予め定められた時間内に、タッチスイッチにより電話番号の中の複数の数字へのタッチ操作が検出された場合、タッチ操作された位置に表示された電話番号の中の複数の数字を削除位置として特定することである。
【００５１】
このように、予め定められた時間内に、タッチスイッチにより電話番号の中の複数の数字へのタッチ操作が検出された場合、タッチ操作された位置に表示された電話番号の中の複数の数字を削除位置として特定することができる。
【００５２】
また、本発明の第２３の特徴は、表示制御手段により表示部に表示された電話番号を、表示された区切り方でトークバック音声をスピーカから出力させるトークバック音声出力手段を備えたことである。
【００５３】
このように、表示部に表示された電話番号を、表示された区切り方でトークバック音声をスピーカから出力させることができる。
【００５４】
また、本発明の第２４の特徴は、表示制御手段が、電話番号をグループ分けする際に、最も可能性の高い区切り方で区切る第１の候補と２番目に可能性の高い区切り方で区切る第２の候補の類似度が予め定められた規格値よりも大きいことを判定した場合、第１の候補と第２の候補の両方を表示部に表示させることである。
【００５５】
このような構成では、電話番号をグループ分けする際に、最も可能性の高い区切り方で区切る第１の候補と２番目に可能性の高い区切り方で区切る第２の候補が類似しており、その類似度が予め定められた規格値よりも大きい場合、最も可能性の高い区切り方で区切る第１の候補と２番目に可能性の高い区切り方で区切る第２の候補の両方が表示される。ユーザは第１の候補と第２の候補のいずれかを選択して、意図する区切り方でグループ分けされた電話番号を表示させることが可能である。
【００５６】
また、本発明の第２５の特徴は、所定のナビゲーション処理を実行するナビゲーション装置であって、本発明の第１ないし第２４の特徴のいずれか１つに記載の音声認識装置を備え、その音声認識装置によって得られた話者の意図する電話番号を前記ナビゲーション処理に用いることである。
【００５７】
このように、音声認識装置によって得られた話者の意図する電話番号をナビゲーション処理に用いることができる。
【発明を実施するための最良の形態】
【００５８】
本発明の一実施形態に係る音声認識装置をナビゲーション装置へ搭載した場合の構成を図１に示す。本ナビゲーション装置２０は、位置検出器２１、データ入力器２２、操作スイッチ群２３、通信装置２４、外部メモリ２５、表示装置２６、リモコンセンサ２７および制御回路２８を備えている。
【００５９】
位置検出器２１は、いずれも周知のジャイロスコープ２１ａ、距離センサ２１ｂおよびＧＰＳ受信機２１ｃを有しており、これらセンサの各々の性質に基づいた現在位置や向きを特定するための情報を制御回路２８に出力する。
【００６０】
データ入力器２２は、地図データ等の各種データが記憶された記憶媒体から各種データを入力するためのものである。
【００６１】
操作スイッチ群２３は、表示装置２６の表示画面の周囲に設けられた押ボタンスイッチや表示装置２６の表示部に設けられたタッチスイッチ等によって構成されており、ユーザのスイッチ操作に応じた信号を制御回路２８へ出力する。タッチスイッチは、表示装置２６の表示部の前面に重ねて配置され、接触面に対するタッチ操作および接触位置を検出する。
【００６２】
通信装置２４は、無線通信網を介して外部と無線通信を行うための装置である。
【００６３】
外部メモリ２５は、後述する制御回路２８に設けられたＲＡＭやＲＯＭとは別に設けられたメモリであり、フラッシュメモリ等の不揮発性記憶媒体によって構成されている。
【００６４】
表示装置２６は、液晶等の表示部を有し、制御回路２８から入力される映像信号に応じた映像を表示部に表示させる。
【００６５】
リモコンセンサ２７は、ユーザの操作に基づいて赤外線等による無線信号を送信するリモコン２７ａから受信した信号を制御回路２８へ出力する。
【００６６】
制御回路２８は、ＣＰＵ、ＲＡＭ、ＲＯＭ、Ｉ／Ｏなどを有するコンピュータとして構成されており、ＣＰＵはＲＯＭに記憶されたプログラムに従って各種処理を実施する。
【００６７】
制御回路２８の処理としては、位置検出器２１から入力される情報に基づいて現在位置を特定する現在位置特定処理、現在位置周辺の地図上に自車位置マークを重ねて表示させる地図表示処理、交通情報の表示操作に応じて通信装置２４を介して交通情報を取得して現在位置周辺の交通情報を表示する交通情報表示処理等がある。
【００６８】
本実施形態における制御回路２８は、図２に示す音声認識ユニット１０を備えている。この音声認識ユニット１０は、スピーカ１４から出力させる音声を合成する音声合成部１１と、マイク１５によって集音された音声をデジタル化して音声信号の分析を行い音声認識する音声認識部１２と、ＣＰＵやメモリ等を有するコンピュータとして構成された制御部１３を備えている。制御部１３のＣＰＵは、メモリに記憶されたプログラムに従って各種処理を行う。
【００６９】
制御部１３には、ユーザの操作に応じて、ＰＴＴ（Ｐｕｓｈ  ｔｏ  Ｔａｌｋ）スイッチ１６から発話の開始を示す信号が入力されるようになっている。
【００７０】
本ナビゲーション装置２０は、制御回路２８と制御部１３が連携して、マイク１５により集音された音声に含まれる電話番号を認識して表示装置２６の表示部に表示させるとともに、スピーカ１４から表示した電話番号のトークバック音声を出力させる電話番号認識処理を実施する。図３に、制御回路２８と制御部１３による電話番号認識処理のフローチャートを示す。イグニッションスイッチがオンすると、ナビゲーション装置２０は起動状態となる。制御回路２８と制御部１３は、ユーザの操作に応じてＰＴＴスイッチ１６から発話の開始を示す信号が入力されると、図４に示す入力待ち状態の電話番号入力画面を表示装置２６の表示部に表示させるとともに、図３に示す電話番号認識処理を実施する。
【００７１】
まず、マイク１５を介してユーザの発話入力があるか否かを判定する（Ｓ１００）。ユーザの発話入力がない場合、Ｓ１００の判定を繰り返す。
【００７２】
ユーザの発話入力があると、Ｓ１００の判定はＹＥＳとなり、次に、音声認識を行う（Ｓ１０２）。具体的には、マイク１５により集音された音声を音声認識部１２に音声認識させる。
【００７３】
次に、音声認識部１２により認識された音声に含まれる電話番号の内容から電話番号を市外局番、市内局番、加入者番号にグループ分けするか否かを判定する（Ｓ１０４）。
【００７４】
本実施形態では、以下の（１）〜（４）に従って電話番号を市外局番、市内局番、加入者番号にグループ分けするか否かを判定する。
【００７５】
（１）認識された音声に含まれる電話番号に該電話番号を市外局番、市内局番、加入者番号のグループに区切る語彙が含まれる場合、電話番号を市外局番、市内局番、加入者番号にグループ分けすると判定し、認識された音声に含まれる電話番号に該電話番号を市外局番、市内局番、加入者番号のグループに区切る語彙が含まれない場合、電話番号をグループ分けしないと判定する。なお、電話番号を市外局番、市内局番、加入者番号のグループに区切る語彙としては、「ハイフン」、「の」、「カッコ」、「スペース」等がある。
【００７６】
例えば、「０１２の３４５の６７８９」と発話入力があった場合、「の」が含まれるため、グループ分けすると判定する。また、「０１２ハイフン３４５ハイフン６７８９」と発話入力があった場合、「ハイフン」が含まれるため、グループ分けすると判定する。これらの場合、「０１２」と「３４５」と「６７８９」といったように、「の」や「ハイフン」の位置で区切られる。反対に、「０１２３４５６７８９」と発話入力があった場合、グループ分けしないと判定する。
【００７７】
（２）認識された音声に含まれる電話番号に、桁読み語彙が含まれる場合、電話番号を市外局番、市内局番、加入者番号にグループ分けし、認識された音声に含まれる電話番号に桁読み語彙が含まれない場合、電話番号をグループ分けしない。桁読み語彙としては、例えば、「さんびゃくよんじゅうご」、「ろくせんななひゃくはちじゅうきゅう」等がある。
【００７８】
例えば、「０１２３、よんじゅうご、６７８９」と発話入力があった場合、桁読み語彙の「よんじゅうご」が含まれるため、グループ分けすると判定する。この場合、「０１２３」と「４５」と「６７８９」といったように、桁読み語彙の位置で区切られる。
【００７９】
（３）認識された音声に含まれる電話番号に該電話番号を複数のグループに区切る無音状態が含まれる場合、電話番号を市外局番、市内局番、加入者番号にグループ分けすると判定し、認識された音声に含まれる電話番号に該電話番号を複数のグループに区切る無音状態が含まれない場合、電話番号をグループ分けしないと判定する。無音状態は、音声入力のない状態が予め定められた期間（例えば、０．５秒）以上継続した状態をいう。
【００８０】
例えば、「０１２」と発話入力があり、その後、１秒間無音状態が継続して「３４５」と発話入力があり、その後、１秒間無音状態が継続して「６７８９」と発話入力があった場合、電話番号に予め定められた期間以上継続した無音状態が２回含まれるため、グループ分けすると判定する。この場合、「０１２」と「３４５」と「６７８９」といったように、無音状態の位置で区切られる。
【００８１】
（４）認識された音声に含まれる電話番号に該電話番号を複数のグループに区切る長音が含まれる場合、電話番号を市外局番、市内局番、加入者番号にグループ分けすると判定し、認識された音声に含まれる電話番号に該電話番号を複数のグループに区切る長音が含まれない場合、電話番号をグループ分けしないと判定する。長音とは、予め定められた期間（例えば、０．５秒）以上長く伸ばして発せられる音を意味する。なお、認識された音声に含まれる電話番号に長音が含まれるか否かを判定する技術は周知である。
【００８２】
例えば、「０１２３４５６７８９」の「２」が「にー」といったように１秒以上継続した長音で、かつ、「５」が「ごー」といったように１秒以上継続した長音の場合、長音が２つ含まれるため、グループ分けすると判定する。この場合、「０１２」と「３４５」と「６７８９」といったように、長音の位置で区切られる。
【００８３】
なお、上記した（１）〜（４）の１つでもグループ分けすると判定された場合には、グループ分けすると判定する。グループ分けすると判定された場合にはＳ１０６へ進み、グループ分けしないと判定された場合にはＳ１２２進む。
【００８４】
ここでは、Ｓ１０４にてグループ分けすると判定されたものとして説明する。Ｓ１０６では、グループ単位で認識結果を表示する。具体的には、電話番号を市外局番、市内局番、加入者番号にグループ分けした電話番号入力画面を表示装置２６の表示部に表示させる。図５は、「０１２の３４５の６７８９」と発話入力があった場合の表示例である。ユーザの発話した内容に従い、「０１２」と「３４５」と「６７８９」のグループ毎に枠で囲まれ表示されている。
【００８５】
次に、表示装置２６の表示部にグループ分けして表示された電話番号を、表示された区切り方でトークバック音声をスピーカ１４から出力させる（Ｓ１０８）。具体的には、電話番号をグループ単位でトークバック音声を出力させるための音声信号を音声合成部１１へ出力し、この音声合成部１１にトークバック音声をスピーカ１４から出力させる。
【００８６】
Ｓ１１０では表示部に表示された電話番号の一部を訂正する訂正操作を実施するか否かをユーザに確認し、Ｓ１１４では表示部に表示された電話番号のいずれかの位置に番号を挿入するか否かをユーザに確認し、Ｓ１１８では表示部に表示された電話番号の一部を削除するか否かをユーザに確認する。具体的には、図６に示すように、訂正操作、挿入操作および削除操作のいずれか１つの操作を実施するか、あるいは入力完了（確定）するか否かをユーザに確認する確認画面を表示装置２６の表示画面に表示させ、ユーザの操作スイッチ群２３のタッチスイッチの操作により、訂正操作、挿入操作および削除操作のいずれか１つの操作の指示がなされたか否かにより訂正操作を実施するか、挿入操作を実施するか、削除操作を実施するか、あるいは入力完了（確定）するかを判定する。
【００８７】
ユーザ操作により訂正操作の実施指示がなされた場合、Ｓ１１０の判定はＹＥＳとなり、次に、グループ単位の訂正操作を実施する（Ｓ１１２）。このグループ単位の訂正操作では、まず、タッチスイッチへのタッチ操作に応じて、タッチ操作された位置に表示された電話番号のグループを訂正位置として特定する。例えば、図７に示すように、「０１２−３４５−６７８９」の「３４５」のグループがタッチ操作された場合、この「３４５」のグループが訂正位置として特定され、「３４５」の色が変更される。
【００８８】
そして、「２グループ目の「３４５」を訂正します、訂正したい数字をどうぞ、ピッ」といったガイダンスをスピーカ１４から音声出力させる。
【００８９】
このように訂正位置の新たな番号の発話をユーザに促した後、ユーザによって新たな番号の音声入力があると、訂正位置の番号が新たな番号に訂正される。例えば、ユーザによって、「７４６」を表す音声入力があると、図８に示すように、「０１２−７４６−６７８９」に訂正され、「２グループ目の「３４５」を「７４６」に訂正しました」といったガイダンスがスピーカ１４から音声出力される。
【００９０】
また、訂正位置が特定された後、訂正したい数字の発話をユーザに促すガイダンスがスピーカ１４から音声出力される前に、「左」、「右」、「次」、「戻る」といった訂正位置の変更を指示する語彙が認識されると、認識された語彙に従い訂正位置を変更する。例えば、市内局番の「３４５」が訂正位置として特定された状態で、「左」または「戻る」が認識されると、市外局番の「０１２」が訂正位置に変更される。また、市内局番の「３４５」が訂正位置として特定された状態で、「右」または「次」が認識されると、加入者番号の「６７８９」が訂正位置に変更され、変更された訂正位置による訂正操作が実施される。このようにして、Ｓ１１２の訂正操作の実施処理が終了すると、Ｓ１１０へ戻る。
【００９１】
また、図６に示した訂正操作、挿入操作および削除操作のいずれか１つの操作を実施するか否かをユーザに確認する確認画面に従って、ユーザ操作により挿入操作の実施指示がなされた場合、Ｓ１１４の判定はＹＥＳとなり、次に、グループ単位の挿入操作を実施する（Ｓ１１６）。このグループ単位の挿入操作では、まず、タッチスイッチへのタッチ操作に応じて、タッチ操作された位置に表示された電話番号のグループを挿入位置として特定する。
【００９２】
そして、挿入位置への新たな番号の発話をユーザに促した後、ユーザによって番号の音声入力があると、この音声入力による番号が挿入位置に挿入される。例えば、「０１２−３５６−７８９０」の「３５６」のグループがタッチ操作された場合、この「３５６」が挿入対象のグループとして特定される。更に、タッチスイッチにより２つの隣り合う数字へのタッチ操作が検出された場合、タッチ操作された数字の間を挿入位置として特定する。例えば、タッチスイッチにより「３５」へのタッチ操作が検出された場合、「３」と「５」の間が挿入位置として特定され、「４」を表す音声入力があると、「３」と「５」の間に「４」が挿入され、「０１２−３４５６−７８９０」に修正され、上記したＳ１１６の挿入操作の実施処理は終了する。このようにＳ１１６の挿入操作の実施処理が終了すると、Ｓ１１０へ戻る。
【００９３】
また、図６に示した訂正操作、挿入操作および削除操作のいずれか１つの操作を実施するか否かをユーザに確認する確認画面に従って、ユーザ操作により削除操作の実施指示がなされた場合、Ｓ１１８の判定はＹＥＳとなり、次に、グループ単位の削除操作を実施する（Ｓ１２０）。このグループ単位の削除操作では、まず、タッチスイッチへのタッチ操作に応じて、タッチ操作された位置に表示された電話番号のグループを削除位置として特定する。
【００９４】
そして、削除位置として特定した番号の発話をユーザに促した後、ユーザによって削除する番号の音声入力があると、この音声入力により削除位置の番号が削除される。
【００９５】
例えば、「０１２−３４５−６７８９」の「３４５」のグループがタッチ操作された場合、この「３４５」が削除対象のグループとして特定される。そして、削除位置として特定した番号の発話をユーザに促した後、ユーザによって、例えば、「４」を表す音声入力があると、「４」が削除され、「０１２−３５−６７８９」に修正され、Ｓ１２０の削除操作の実施は終了する。このようにＳ１２０の削除操作の実施が終了すると、Ｓ１１０へ戻る。
【００９６】
また、ユーザの確認画面に従って入力完了（確定）することが確認された場合、Ｓ１１０、Ｓ１１４、Ｓ１１８の判定はそれぞれＮＯとなり、本処理を終了する。
【００９７】
ここまでは、Ｓ１０４にてグループ分けすると判定されたものとして説明したが、Ｓ１０４にてグループ分けしないと判定された場合には、以下に示す作動となる。
【００９８】
Ｓ１０４にてグループ分けしないと判定された場合、Ｓ１０４の判定はＮＯとなり、１文字単位で認識結果を表示する（Ｓ１２２）。具体的には、電話番号をグループ分けすることなく１文字単位で表した電話番号入力画面を表示装置２６の表示部に表示させる。図９は、「０１２３４５６７８９」と１文字単位で発話入力があった場合の表示例で、ユーザの発話した内容に従い、グループ分けすることなく、１文字単位で「０１２３４５６７８９」と表示されている。
【００９９】
次に、表示装置２６の表示部に１文字単位で表示された電話番号を表すトークバック音声をスピーカ１４から出力させる（Ｓ１２４）。具体的には、電話番号を連続した区切りなしのトークバック音声を出力させるための音声信号を音声合成部１１へ出力し、音声合成部１１にトークバック音声をスピーカ１４から出力させる。
【０１００】
Ｓ１２６では表示部に表示された電話番号の一部を訂正する訂正操作を実施するか否かをユーザに確認し、Ｓ１３０では表示部に表示された電話番号のいずれかの位置に番号を挿入するか否かをユーザに確認し、Ｓ１３４では表示部に表示された電話番号の一部を削除するか否かをユーザに確認する。具体的には、上記したようにグループ分けして電話番号を表示する場合と同様に、図６に示した訂正操作、挿入操作および削除操作のいずれか１つの操作を実施するか否かをユーザに確認する確認画面を表示装置２６の表示画面に表示させ、ユーザの操作スイッチ群２３のタッチスイッチの操作により、訂正操作、挿入操作および削除操作のいずれか１つの操作の指示がなされたか否かにより訂正操作を実施するか、挿入操作を実施するか、あるいは削除操作を実施するかを判定する。
【０１０１】
ユーザ操作により訂正操作の実施指示がなされた場合、Ｓ１２６の判定はＹＥＳとなり、次に、１文字単位の訂正操作を実施する（Ｓ１２８）。この１文字単位の訂正操作では、まず、タッチスイッチへのタッチ操作に応じて、タッチ操作された位置に表示された電話番号の１文字を訂正位置として特定する。例えば、図１０（ａ）に示すように、「０１２３４５６７８９」の「３」がタッチ操作された場合、この「３」が訂正位置として特定され、「３」の色が変更される。
【０１０２】
そして、「４桁目の「３」を訂正します、訂正したい数字をどうぞ、ピッ」といったガイダンスをスピーカ１４から音声出力させる。
【０１０３】
このように訂正位置の新たな番号の発話をユーザに促した後、ユーザによって新たな番号の音声入力があると、この音声入力により訂正位置の番号が新たな番号に訂正される。例えば、ユーザによって、「７」を表す音声入力があると、図１０（ｂ）に示すように、「０１２７４５６７８９」に訂正される。
【０１０４】
また、訂正位置が特定された後、訂正したい数字の発話をユーザに促すガイダンスがスピーカ１４から音声出力される前に、「左」、「右」、「次」、「戻る」といった訂正位置の変更を指示する語彙が認識されると、認識された語彙に従い訂正位置を変更する。例えば、図１１（ａ）に示すように、「０１２３４５６７８９」の「３」が訂正位置として特定された状態で、「右」または「次」が認識されると、「４」が訂正位置に変更され、変更された訂正位置による訂正操作が実施される。このようにして、Ｓ１２８の訂正操作の実施処理が終了すると、Ｓ１２６へ戻る。
【０１０５】
また、図６に示した訂正操作、挿入操作および削除操作のいずれか１つの操作を実施するか否かをユーザに確認する確認画面に従って、ユーザ操作により挿入操作の実施指示がなされた場合、Ｓ１３０の判定はＹＥＳとなり、次に、１文字単位の挿入操作を実施する（Ｓ１３２）。この１文字単位の挿入操作では、まず、タッチスイッチへのタッチ操作に応じて、タッチ操作された位置に表示された電話番号の数字を挿入位置として特定する。この１文字単位の挿入操作では、まず、タッチスイッチへのタッチ操作に応じて、タッチ操作された位置に表示された電話番号の数字を挿入位置として特定する。ここでは、タッチスイッチにより２つの隣り合う数字へのタッチ操作が検出された場合、タッチ操作された数字の間を挿入位置として特定する。例えば、図１２（ａ）に示すように、「０１２３５６７８９」の「３」と「５」がタッチ操作された場合、この「３５」を挿入対象として特定する。
【０１０６】
そして、挿入位置への新たな番号の発話をユーザに促した後、ユーザによって番号の音声入力があると、この音声入力による番号が挿入位置に挿入される。例えば、ユーザによって、「４」を表す音声入力があると、「３」と「５」の間に「４」が挿入され、図１２（ｂ）に示すように「０１２３４５６７８９」に修正され、上記したＳ１３２の挿入操作の実施処理は終了する。このようにＳ１３２の挿入操作の実施処理が終了すると、Ｓ１２６へ戻る。
【０１０７】
また、図６に示した訂正操作、挿入操作および削除操作のいずれか１つの操作を実施するか否かをユーザに確認する確認画面に従って、ユーザ操作により削除操作の実施指示がなされた場合、Ｓ１３４の判定はＹＥＳとなり、次に、１文字単位の削除操作を実施する（Ｓ１３６）。この１文字単位の削除操作では、まず、タッチスイッチへのタッチ操作に応じて、タッチ操作された位置に表示された電話番号の数字を削除位置として特定する。例えば、図１３（ａ）に示すように、「０１２３４５６７８９」の「４」がタッチ操作された場合、この「４」を削除対象として特定し、この「４」が削除され、図１３（ｂ）に示すように、「０１２３５６７８９」に修正され、Ｓ１３６の削除操作の実施は終了する。このようにＳ１３６の削除操作の実施が終了すると、Ｓ１２６へ戻る。
【０１０８】
また、ユーザの確認画面に従って入力完了（確定）することが確認された場合、Ｓ１２６、Ｓ１３０、Ｓ１３４の判定はそれぞれＮＯとなり、本処理を終了する。
【０１０９】
上記した構成によれば、認識された音声に含まれる電話番号の内容から電話番号を市外局番、市内局番、加入者番号にグループ分けすると判定された場合、電話番号が市外局番、市内局番、加入者番号にグループ分けして表示部に表示されるので、ユーザの発話した内容に従い電話番号をグループ分けして表示することができる。
【０１１０】
電話番号を市外局番、市内局番、加入者番号にグループ分けするか否かを判定は、音声認識された音声に含まれる電話番号に、市外局番、市内局番、加入者番号のグループに区切る語彙が含まれるか否かに基づいて判定することができる。
【０１１１】
また、電話番号を市外局番、市内局番、加入者番号にグループ分けするか否かを判定は、音声認識された音声に含まれる電話番号に、桁読み語彙が含まれるか否かに基づいて判定することもできる。
【０１１２】
また、電話番号を市外局番、市内局番、加入者番号にグループ分けするか否かを判定は、音声認識された音声に含まれる電話番号に、該電話番号を複数のグループに区切る無音状態が含まれるか否かに基づいて判定することもできる。
【０１１３】
また、電話番号を市外局番、市内局番、加入者番号にグループ分けするか否かを判定は、音声認識された音声に含まれる電話番号に、該電話番号を複数のグループに区切る長音が含まれるか否かに基づいて判定することもできる。
【０１１４】
また、電話番号を市外局番、市内局番、加入者番号にグループ分けしないと判定された場合、電話番号を区切ることなく連続して表示部に表示させることができる。
【０１１５】
なお、本発明は上記実施形態に限定されるものではなく、本発明の趣旨に基づいて種々なる形態で実施することができる。
【０１１６】
例えば、上記実施形態では、Ｓ１２８の１文字単位の訂正操作において、電話番号の訂正位置を特定した後、音声認識により認識された番号を新たな番号として訂正位置の番号を訂正する例を示したが、例えば、図１４に示すように、訂正位置の数字を増加させる増加ボタンＩおよび訂正位置の数字を減少させる減少ボタンＤを表示装置２６の表示部に表示させ、タッチスイッチによるタッチ操作が検出された場合、タッチ操作された位置に表示されたボタンＩ、Ｄへの操作に応じて訂正位置の番号を増加または減少させて訂正するようにしてもよい。
【０１１７】
また、上記実施形態では、Ｓ１１６、Ｓ１３２の挿入操作において、タッチスイッチへのタッチ操作により電話番号の挿入位置を特定する例を示したが、例えば、図１５（ａ）に示すように、電話番号の数字間に挿入位置を指定するための挿入ボタンＳを表示させ、タッチスイッチによるタッチ操作が検出された場合、図１５（ｂ）に示すように、タッチ操作された位置に表示された挿入ボタンＳの位置を挿入位置として特定してもよい。この場合、挿入位置が特定した後、挿入する番号の発話をユーザに促し、挿入する番号の音声入力があると、この番号を挿入位置に挿入することができる。例えば、挿入する番号の発話をユーザに促した後、「４」を表す音声入力があると、挿入位置に「４」が挿入され、図１５（ｃ）に示すように、「０１２３４５６７８９」に修正することができる。
【０１１８】
また、上記実施形態では、Ｓ１０２にて音声認識された音声に含まれる電話番号の内容から電話番号を市外局番、市内局番、加入者番号にグループ分けするか否かを判定する例を示したが、例えば、認識された音声に含まれる電話番号に該電話番号を複数のグループに区切る無音状態が３つ以上含まれる場合、１つの区切り方で電話番号を市外局番、市内局番、加入者番号にグループ分けするのが困難な場合がある。このような場合、複数の区切り方の候補のうち、最も可能性の高い区切り方で区切る第１の候補と２番目に可能性の高い区切り方で区切る第２の候補の類似度を求め、類似度が予め定められた規格値よりも大きいことを判定した場合、第１の候補と第２の候補の両方を表示部に表示させるようにしてもよい。例えば、図１６に示すように、第１の候補として「０１２−３４５−６７８９」を表示し、第２の候補として「０１２３−４５−６７８９」を表示し、ユーザに選択を促すようにしてもよい。
【０１１９】
また、上記実施形態では、Ｓ１２８の１文字単位の訂正操作において、電話番号の１文字を訂正位置として特定し、訂正する例を示したが、一度に複数の数字を訂正位置として特定するようにしてもよい。この場合、例えば、図１７に示すように、「０１２３４５６７８９」の「３」と「７」を訂正位置として特定した後、訂正位置の新たな番号の発話をユーザに促し、「４８」を表す音声入力があると、「３」が「４」に訂正され、「７」が「８」に訂正され、「０１２４４５６８８９」に修正される。
【０１２０】
また、上記実施形態では、Ｓ１１４、Ｓ１３０にて、表示部に表示された電話番号のいずれかの位置に番号を挿入するか否かをユーザに確認し、ユーザの操作に応じて挿入操作を実施することを判定した場合に、挿入操作を実施する例を示したが、音声認識した電話番号が、認識すべき電話番号の桁数を満たしているか否かを判定し、認識すべき電話番号の桁数を満たしていないと判定された場合に挿入操作を実施するようにしてもよい。例えば、音声認識した電話番号が１０桁未満で、認識すべき電話番号の桁数を満たしていないと判定された場合に挿入操作を実施するようにしてもよい。
【０１２１】
また、上記実施形態では、（１）〜（４）に示したように、認識された音声に含まれる電話番号の内容から電話番号を市外局番、市内局番、加入者番号にグループ分けするか否かを判定する例を示したが、例えば、音声認識した電話番号のイントネーション、アクセント、ピッチ、周波数特性の情報を用いて電話番号を市外局番、市内局番、加入者番号にグループ分けするか否かを判定するようにしてもよい。
【０１２２】
また、上記実施形態では、制御回路２８と制御部１３が連携して、マイク１５により集音された音声に含まれる電話番号を認識して表示装置２６の表示部に表示させるとともに、スピーカ１４から表示した電話番号のトークバック音声を出力させる電話番号認識処理を実施する例を示したが、例えば、この電話番号認識処理により認識した電話番号により電話番号検索を実施して目的地設定を実施し、目的地に至る案内経路を設定し、この案内経路に従って走行案内を実施するようにしてもよい。
【０１２３】
なお、上記実施形態における構成と特許請求の範囲の構成との対応関係について説明すると、音声認識ユニット１０とＳ１０２が音声認識手段に相当し、Ｓ１０４がグループ分け判定手段に相当し、Ｓ１０６、Ｓ１２２が表示制御手段に相当し、Ｓ１１０、Ｓ１２６が訂正確認手段に相当し、Ｓ１１２、Ｓ１２８が番号訂正手段に相当し、Ｓ１１４、Ｓ１３０が挿入確認手段に相当し、Ｓ１１６、Ｓ１３２が番号挿入手段に相当し、Ｓ１１８、Ｓ１３４が削除確認手段に相当し、Ｓ１２０、Ｓ１３６が番号削除手段に相当し、Ｓ１０８、Ｓ１２４がトークバック音声出力手段に相当する。
【図面の簡単な説明】
【０１２４】
【図１】本発明の一実施形態に係る音声認識装置をナビゲーション装置へ搭載した場合の構成を示す図である。
【図２】音声認識ユニットの構成を示す図である。
【図３】制御回路と制御部による電話番号認識処理を示すフローチャートである。
【図４】入力待ち状態の電話番号入力画面の表示例を示す図である。
【図５】電話番号を市外局番、市内局番、加入者番号にグループ分けした場合の電話番号入力画面の表示例を示す図である。
【図６】訂正操作、挿入操作および削除操作のいずれか１つの操作を実施するか、あるいは入力完了（確定）するか否かをユーザに確認する確認画面の表示例を示す図である。
【図７】グループ単位の訂正操作時の表示について説明するための図である。
【図８】グループ単位の訂正操作時の表示について説明するための図である。
【図９】電話番号を市外局番、市内局番、加入者番号にグループ分けしない場合の電話番号入力画面の表示例を示す図である。
【図１０】１文字単位の訂正操作の表示について説明するための図である。
【図１１】１文字単位の訂正操作の表示について説明するための図である。
【図１２】１文字単位の挿入操作の表示について説明するための図である。
【図１３】１文字単位の削除操作の表示について説明するための図である。
【図１４】１文字単位の訂正操作の変形例について説明するための図である。
【図１５】挿入操作の変形例について説明するための図である。
【図１６】電話番号を市外局番、市内局番、加入者番号にグループ分けして表示する際の変形例について説明するための図である。
【図１７】１文字単位の訂正操作の変形例について説明するための図である。
【符号の説明】
【０１２５】
１０…音声認識ユニット、１１…音声合成部、１２…音声認識部、１３…制御部、
１４…スピーカ、１５…マイク、１６…ＰＴＴスイッチ、２０…ナビゲーション装置、
２１…位置検出器、２１ａ…ジャイロスコープ、２１ｂ…距離センサ、
２１ｃ…ＧＰＳ受信機、２２…データ入力器、２３…操作スイッチ群、
２４…通信装置、２５…外部メモリ、２６…表示装置、２７…リモコンセンサ、
２８…制御回路。 
【図１】
2008203296.tif 000003
【図２】
2008203296.tif 000004
【図３】
2008203296.tif 000005
【図４】
2008203296.tif 000006
【図５】
2008203296.tif 000007
【図６】
2008203296.tif 000008
【図７】
2008203296.tif 000009
【図８】
2008203296.tif 000010
【図９】
2008203296.tif 000011
【図１０】
2008203296.tif 000012
【図１１】
2008203296.tif 000013
【図１２】
2008203296.tif 000014
【図１３】
2008203296.tif 000015
【図１４】
2008203296.tif 000016
【図１５】
2008203296.tif 000017
【図１６】
2008203296.tif 000018
【図１７】
2008203296.tif 000019